(57)【要約】【課題】飲酒しているか否かを精度よく検出することができる飲酒状態検出装置を提供すること。【解決手段】被験者の心拍を取得し（Ｓ１０）、心拍状態に基づいて心拍のゆらぎを取得し（Ｓ１４）、心拍のゆらぎにおける高周波成分と低周波成分との相対関係に基づいて被験者の飲酒状態を検出する（Ｓ１８）。心拍のゆらぎの高周波成分と低周波成分の増減傾向が同期する場合に被験者が飲酒していると判定することにより、少量の飲酒状態を検出することが可能となり、飲酒しているか否かを精度よく検出することができる。【選択図】図２
2009219541.tif 000002
【特許請求の範囲】
【請求項１】
被験者の心拍を取得する心拍取得手段と、
前記心拍に基づいて心拍のゆらぎを取得する心拍ゆらぎ取得手段と、
前記心拍のゆらぎにおける所定周波数を超える高周波成分と前記所定周波数以下である低周波成分との相対関係に基づいて前記被験者の飲酒状態を検出する検出手段と、
を備えた飲酒状態検出装置。
【請求項２】
前記検出手段は、前記心拍のゆらぎの前記高周波成分と前記低周波成分の増減傾向が同期している場合に前記被験者が飲酒していると判定すること、
を特徴とする請求項１に記載の飲酒状態検出装置。
【請求項３】
前記心拍のゆらぎにおける前記高周波成分と前記低周波成分との相対関係に基づいて前記被験者の飲酒後の体調状態を判定する体調判定手段を備えたことを特徴とする請求項１又は２に記載の飲酒状態検出装置。
【請求項４】
前記体調判定手段は、飲酒後において心拍ゆらぎの前記低周波成分の減少傾向が前記高周波成分より低い場合に体調不良であると判定することを特徴とする請求項３に記載の飲酒状態検出装置。
【発明の詳細な説明】
【技術分野】
【０００１】
本発明は、被験者の飲酒状態を検出する飲酒状態検出装置に関するものである。
【背景技術】
【０００２】
従来、被験者の飲酒状態を検出する装置として、特開２００４−２４２７２０号公報に記載されるように、飲酒した被験者の心電図を測定し、その心電図データを用いて酔いの状態を評価する装置が知られている。この装置は、心拍の変動などから酔いの状態を検出しようとするものである。
【特許文献１】特開２００４−２４２７２０号公報
【発明の開示】
【発明が解決しようとする課題】
【０００３】
しかしながら、このような装置にあっては、少量の飲酒状態、すなわち飲酒しているか否かを判断することが難しいという問題点がある。例えば、心拍数の増加、減少に基づいて酔いの状態を判断することができるが、飲酒しているかどうかの判断を正確に行うことが難しい。
【０００４】
そこで本発明は、このような問題点を解決するためになされたものであって、飲酒しているか否かを精度よく検出することができる飲酒状態検出装置を提供することを目的とする。
【課題を解決するための手段】
【０００５】
すなわち、本発明に係る飲酒状態検出装置は、被験者の心拍を取得する心拍取得手段と、前記心拍に基づいて心拍のゆらぎを取得する心拍ゆらぎ取得手段と、前記心拍のゆらぎにおける所定周波数を超える高周波成分と前記所定周波数以下である低周波成分との相対関係に基づいて前記被験者の飲酒状態を検出する検出手段とを備えて構成されている。
【０００６】
この発明によれば、心拍のゆらぎの高周波成分と低周波成分の相対関係に基づいて被験者の飲酒状態を検出することにより、少量の飲酒状態を検出することが可能となり、飲酒しているか否かを精度よく検出することができる。
【０００７】
また本発明に係る飲酒状態検出装置において、前記検出手段は、前記心拍のゆらぎの前記高周波成分と前記低周波成分の増減傾向が同期している場合に前記被験者が飲酒していると判定することが好ましい。
【０００８】
この場合、心拍のゆらぎの高周波成分と低周波成分の増減傾向が同期している場合に被験者が飲酒していると判定することにより、少量の飲酒状態を検出することが可能となり、飲酒しているか否かを精度よく検出することができる。
【０００９】
また本発明に係る飲酒状態検出装置において、前記心拍のゆらぎにおける前記高周波成分と前記低周波成分との相対関係に基づいて前記被験者の飲酒後の体調状態を判定する体調判定手段を備えていることが好ましい。
【００１０】
この発明によれば、心拍のゆらぎにおける高周波成分と低周波成分との相対関係に基づいて被験者の飲酒後の体調状態を判定することにより、被験者の飲酒後の体調状態を正確に判定することができる。
【００１１】
また本発明に係る飲酒状態検出装置において、前記体調判定手段は、飲酒後において心拍ゆらぎの前記低周波成分の減少傾向が前記高周波成分より低い場合に体調不良であると判定することが好ましい。
【００１２】
この発明によれば、飲酒後において心拍ゆらぎの低周波成分の減少傾向が高周波成分より低い場合に体調不良であると判定することにより、被験者の飲酒後の体調状態を正確に判定することができる。
【発明の効果】
【００１３】
本発明によれば、被験者の心拍ゆらぎの高周波成分と低周波成分との相対関係に基づいて被験者が飲酒しているか否かを判定することにより、飲酒しているか否かを精度よく検出することができる。
【発明を実施するための最良の形態】
【００１４】
以下、添付図面を参照して本発明の実施の形態を詳細に説明する。なお、図面の説明において同一の要素には同一の符号を付し、重複する説明を省略する。
【００１５】
図１は本実施形態に係る飲酒状態検出装置の概略構成図である。
【００１６】
図１に示すように、本実施形態に係る飲酒状態検出装置１は、被験者の飲酒状態を検出する装置であって、例えば車両に設置され被験者である運転者が飲酒しているか否かの検出を行う。
【００１７】
この飲酒状態検出装置１は、心拍検出部２、ＥＣＵ（ElectronicControl Unit）３及び警報部４を備えて構成されている。心拍検出部２は、被験者の心拍を取得する心拍取得手段として機能するものであって、例えば心電図検査器に用いられる電極部のように心拍に対応した微弱な電流を検知するものが用いられる。なお、この心拍検出部２としては、被験者の心電図波形などの心拍状態を検出できるものであればいずれのものを用いてもよい。また、車両の運転者の心拍状態を検出する場合、例えば心拍検出部２がハンドル又は運転シートに設置されることが好ましい。
【００１８】
ＥＣＵ３は、飲酒状態検出装置１全体の制御を行うものであって、例えばＣＰＵ、ＲＯＭ、ＲＡＭを含むコンピュータを主体として構成されている。ＥＣＵ３は、心拍ゆらぎ検出部３１、ゆらぎ比算出部３２、飲酒判定部３３及びデータベース３４を備えている。
【００１９】
心拍ゆらぎ検出部３１は、被験者の心拍に基づいて心拍のゆらぎを取得する心拍ゆらぎ取得手段として機能するものである。例えば、心拍検出部２の心拍検出信号を入力し、前処理として信号処理を行い、心拍ゆらぎ状態を検出する。心拍ゆらぎ状態は、心拍のゆらぎにおける所定周波数を超える高周波成分と所定周波数以下である低周波成分とに分けて検出することが好ましい。心拍ゆらぎにおける所定周波数は、０．１２〜０．２０Ｈｚのうちいずれかの周波数が設定され、好ましくは０．１５Ｈｚが設定される。この場合、低周波成分の低周波帯域は０．０４〜０．１５Ｈｚとされ、高周波成分の高周波帯域は０．１５〜０．６０Ｈｚとされる。
【００２０】
ゆらぎ比算出部３２は、現在の心拍ゆらぎ量と飲酒してない状態の心拍ゆらぎ量の比又はそれらの量の差を算出するものである。この算出処理は、心拍ゆらぎの低周波成分と高周波成分についてそれぞれ行われる。
【００２１】
飲酒判定部３３は、被験者が飲酒しているか否かを判定するものであり、心拍のゆらぎにおける高周波成分と低周波成分との相対関係に基づいて被験者が飲酒しているか否かを判定する。例えば、心拍のゆらぎ量の高周波成分と低周波成分の増減傾向が同期している場合に被験者が飲酒していると判定され、心拍のゆらぎ量の高周波成分と低周波成分の増減傾向が同期していない場合に被験者が飲酒していないと判定される。
【００２２】
すなわち、飲酒してない状態における心拍ゆらぎ量に対する高周波成分の心拍ゆらぎ量の差と低周波成分の心拍ゆらぎ量の差の双方がともに増加している場合又はともに減少している場合には、飲酒していると判定される。一方、飲酒してない状態における心拍ゆらぎ量に対する高周波成分の心拍ゆらぎ量の差と低周波成分の心拍ゆらぎ量の差の一方が増加しており他方が減少している場合には、飲酒していないと判定される。
【００２３】
データベース３４は、心拍ゆらぎ量のデータを記録するものであり、被験者の飲酒してない状態の心拍ゆらぎ量を入力し、その心拍ゆらぎ量のデータを記録する。
【００２４】
警報部４は、被験者が飲酒していると判断された場合に飲酒状態であることを被験者に対し警告するものである。この警告部４は、被験者に対し飲酒状態であることを警告できるものであれば、その手段の種類を問わない。例えば、警告部４としては、聴覚を通じて警報するスピーカ、ブザー、視覚を通じて警報するランプやＬＥＤなどの発光体、モニタ表示、触覚を通じて警報するエアコンの送風、ハンドルや座席シートの振動、又は知覚を通じて警報するインターロックなどが用いられる。
【００２５】
次に、本実施形態に係る飲酒状態検出装置の動作について説明する。
【００２６】
図２は飲酒状態検出装置の動作を示すフローチャートである。この図２の制御処理は、例えばＥＣＵ３によって実行される。
【００２７】
まず、図２のＳ１０に示すように、心拍計測データの読み込みが行われる。心拍計測データの読み込み処理は、心拍検出部２により検出された被験者の心拍計測データをＥＣＵ３に読み込む処理である。
【００２８】
そして、Ｓ１２に移行し、心拍計測データ前処理が行われる。心拍計測データ前処理は、心拍計測信号を信号処理して心拍周期信号を導出する処理である。例えば、心拍計測信号がノイズ除去され、心拍のピーク値となるＲ波を抽出するように二値化された後、Ｒ波の区間幅が求められ、区間幅を縦軸とする心拍周期信号が導出される。この心拍計測データ前処理の詳細については後述する。
【００２９】
そして、Ｓ１４に移行し、心拍ゆらぎ導出処理が行われる。心拍ゆらぎ導出処理は、心拍周期信号から低周波成分の心拍ゆらぎ量と高周波成分の心拍ゆらぎ量を導出する処理である。例えば、心拍周期信号が周波数解析され、その周波数解析された信号が低周波領域で積分処理されて低周波成分の心拍ゆらぎ量が算出され、高周波領域で積分処理されて高周波成分の心拍ゆらぎ量が算出される。この心拍ゆらぎ導出処理の詳細については後述する。
【００３０】
そして、Ｓ１６に移行し、心拍ゆらぎ比算出処理が行われる。心拍ゆらぎ比算出処理は、心拍ゆらぎ量の低周波成分値と高周波成分値が増加傾向か減少傾向かを示す心拍ゆらぎ比を算出する処理である。例えば、現在の心拍ゆらぎ量の低周波成分値をＬＮ、現在の心拍ゆらぎ量の高周波成分値をＬＨ、飲酒していない状態の心拍ゆらぎ量の低周波成分値をＬＤ、飲酒していない状態の心拍ゆらぎ量の高周波成分値をＬＨ、心拍ゆらぎ量の低周波成分値変化量をＤｉｆｆＬ、心拍ゆらぎ量の低周波成分値変化量をＤｉｆｆＨとすると、心拍ゆらぎ量の低周波成分値変化量をＤｉｆｆＬは次の式（１）で示され、心拍ゆらぎ量の高周波成分値変化量をＤｉｆｆＨは次の式（２）で示される。
【００３１】
ＤｉｆｆＬ＝ＬＮ−ＬＤ  …（１）
【００３２】
ＤｉｆｆＨ＝ＨＮ−ＨＤ  …（２）
【００３３】
心拍ゆらぎ量の低周波成分値変化量ＤｉｆｆＬが正の値であるときには心拍ゆらぎ量の低周波成分値が増加傾向となり、負の値であるときには心拍ゆらぎ量の低周波成分値が減少傾向となっている。心拍ゆらぎ量の高周波成分値変化量ＤｉｆｆＨが正の値であるときには心拍ゆらぎ量の高周波成分値が増加傾向となり、負の値であるときには心拍ゆらぎ量の高周波成分値が減少傾向となっている。
【００３４】
現在の心拍ゆらぎ量の低周波成分値ＬＮ、現在の心拍ゆらぎ量の高周波成分値ＬＨとしては、Ｓ１４にて算出された低周波成分の心拍ゆらぎ量、高周波成分の心拍ゆらぎ量が用いられる。飲酒していない状態の心拍ゆらぎ量の低周波成分値ＬＤ、飲酒していない状態の心拍ゆらぎ量の高周波成分値ＬＨとしては、データベース３４に予め記録されていたデータが用いられる。
【００３５】
そして、Ｓ１８に移行し、被験者が飲酒しているか否かが判断される。この判断処理は、心拍のゆらぎにおける高周波成分と低周波成分との相対関係に基づいて被験者が飲酒しているか否かを判断する処理である。例えば、心拍のゆらぎ量の高周波成分と低周波成分の増減傾向が同期している場合に被験者が飲酒していると判定され、心拍のゆらぎ量の高周波成分と低周波成分の増減傾向が同期していない場合に被験者が飲酒していないと判定される。
【００３６】
具体的には、Ｓ１６にて算出された心拍ゆらぎ量の低周波成分値変化量ＤｉｆｆＬ、心拍ゆらぎ量の高周波成分値変化量ＤｉｆｆＨが共に正の値である場合には、心拍のゆらぎ量の高周波成分と低周波成分が増加傾向で同期しているので、飲酒していると判断される。また、心拍ゆらぎ量の低周波成分値変化量ＤｉｆｆＬ、心拍ゆらぎ量の高周波成分値変化量ＤｉｆｆＨが共に負の値である場合には、心拍のゆらぎ量の高周波成分と低周波成分が減少傾向で同期しているので、飲酒していると判断される。
【００３７】
なお、心拍ゆらぎ量の低周波成分値変化量ＤｉｆｆＬ、心拍ゆらぎ量の高周波成分値変化量ＤｉｆｆＨが共に正の値である設定値以上である場合に飲酒していると判断してもよい。また、心拍ゆらぎ量の低周波成分値変化量ＤｉｆｆＬ、心拍ゆらぎ量の高周波成分値変化量ＤｉｆｆＨが共に負の値である設定値以下である場合に飲酒していると判断してもよい。この場合、飲酒していると誤判断することを抑制することができる。
【００３８】
これに対し、心拍ゆらぎ量の低周波成分値変化量ＤｉｆｆＬ、心拍ゆらぎ量の高周波成分値変化量ＤｉｆｆＨの一方が正の値であり他方が負の値である場合には、心拍のゆらぎ量の高周波成分と低周波成分の増減傾向が同期していないので、飲酒していないと判断される。
【００３９】
Ｓ１８にて被験者が飲酒していないと判断された場合には、一連の制御処理が終了される。一方、Ｓ１８にて被験者が飲酒していると判断された場合には、警報処理が行われる（Ｓ２０）。警報処理は、被験者に対して飲酒している状態であることを警報する処理である。例えば、警報部４により、被験者である車両の運転者に対し飲酒状態であることが報知され、又は車両のインターロックなどが行われる。このＳ２０の処理を終了したら、一連の制御処理を終了する。
【００４０】
図３は、本実施形態に係る飲酒状態検出装置の心拍計測データ前処理を示すフローチャートである。
【００４１】
この図３の心拍計測データ前処理は、図２のＳ１２にて実行される処理であり、心拍計測信号を信号処理して心拍周期信号を導出する処理である。この心拍計測データ前処理は、図３のＳ１２０に示すように、まずノイズ除去処理が行われる。ノイズ除去処理は、心拍計測信号のノイズを除去する処理であり、例えば心拍計測信号にバンドパスフィルタをかけることにより、所望の周波数帯以外の信号成分を低減させる。バンドパスフィルタとしては、帯域幅０．１〜３０．０Ｈｚのものを用いることが好ましい。
【００４２】
そして、Ｓ１２２に移行し、二値化処理が行われる。二値化処理は、心拍計測信号からＲ波成分を抽出するために心拍計測信号を二値化する処理である。例えば、図４（ａ）に示すように、心拍計測信号Ｓに対し、しきい値Ａを設定し、このしきい値Ａを超えるＲ波のみを抽出する。図４（ｂ）は、二値化処理された信号の波形を示している。なお、心拍計測信号ＳからＲ波の区間幅もしくは周期を抽出できれば、Ｓ１２２において二値化処理以外の処理を行ってもよい。この場合、Ｒ波の周期を正確に抽出するために、Ｒ波の最大値となる時間を特定できるように処理することが好ましい。
【００４３】
そして、図３のＳ１２４に移行し、Ｒ波区間幅の算出処理が行われる。Ｒ波区間幅の算出処理は、心拍計測信号ＳにおけるＲ波とＲ波との区間幅、すなわち周期を算出する処理である。例えば、図４（ｂ）に示すように、二値化処理により得られたパルス波形においてパルスの立ち上がり時間の周期Ｔ、すなわちＲ波の区間幅が算出される。
【００４４】
そして、Ｓ１２６に移行し、心拍周期波形の導出処理が行われる。心拍周期波形の導出処理は、心拍の周期の変動を表す波形を導出する処理である。例えば、図５に示すように、Ｓ１２４にて算出された心拍の周期Ｔを縦軸にとり繰り返し得られる周期Ｔを横軸方向に配列して心拍周期波形が導出される。このとき、各周期の間の周期データが存在しないため、それを補間して連続した波形を形成すればよい。Ｓ１２６の処理を終えたら、心拍計測データ前処理の一連の制御処理を終了する。
【００４５】
図６は、本実施形態に係る飲酒状態検出装置の心拍ゆらぎ導出処理を示すフローチャートである。
【００４６】
この図６の心拍ゆらぎ導出処理は、図２のＳ１４にて実行される処理であり、心拍周期波形から低周波成分の心拍ゆらぎ量と高周波成分の心拍ゆらぎ量を導出する処理である。
【００４７】
まず、Ｓ１４０に示すように、周波数解析処理が行われる。周波数解析処理は、心拍周期波形を高速フーリエ変換などによって周波数解析する処理である。例えば、所定の区間幅について心拍周期波形を高速フーリエ変換により周波数解析し、縦軸を振幅パワー、横軸を周波数とする周波数スペクトル波形を生成する。
【００４８】
そして、Ｓ１４２に移行し、周波数帯域の設定処理が行われる。この周波数帯域の設定処理は、心拍周期波形における低周波帯（低周波領域）と高周波帯（高周波領域）を設定する処理である。例えば、図７に示すように、低周波帯と高周波帯の境界となる境界周波数ｆａとして、０．１２〜０．２０Ｈｚのうちいずれかの周波数が設定され、好ましくは０．１５Ｈｚが設定される。この境界周波数ｆａの低周波側に低周波帯ｆｌが設定され、高周波側に高周波帯ｆｈが設定される。好ましくは、低周波帯ｆｌは０．０４〜０．１５Ｈｚとされ、高周波帯ｆｈは０．１５〜０．６０Ｈｚとされる。
【００４９】
そして、Ｓ１４４に移行し、積分処理が行われる。積分処理は、低周波帯と高周波帯の各周波数帯について行われる。例えば、低周波帯について心拍周期波形の振幅スペクトルが積分され低周波成分の心拍ゆらぎ量が算出される。また、高周波帯について心拍周期波形の振幅スペクトルが積分され高周波成分の心拍ゆらぎ量が算出される。その際、所定時刻ごとに低周波帯と高周波帯の積分処理を行って、時系列の心拍ゆらぎ量を算出することが好ましい。Ｓ１４４の処理を終えたら、心拍ゆらぎ導出処理の一連の制御処理を終了する。
【００５０】
以上のように、本実施形態に係る飲酒状態検出装置によれば、心拍のゆらぎの高周波成分と低周波成分の相対関係に基づいて被験者の飲酒状態を検出することにより、少量の飲酒状態を検出することが可能となり、飲酒しているか否かを精度よく検出することができる。
【００５１】
その際、心拍のゆらぎの高周波成分と低周波成分の増減傾向が同期している場合に被験者が飲酒していると判定することにより、少量の飲酒状態を検出することが可能となり、飲酒しているか否かを精度よく検出することができる。
【００５２】
例えば、飲酒していない場合には、心拍ゆらぎの高周波成分と低周波成分は、一方が増加すると他方が減少する傾向がある。これは、自律神経の交感神経の活発化により一方の成分が増加し他方の成分が減少し、副交感神経の活発化により一方の成分が減少し他方の成分が減少することに起因すると考えられる。
【００５３】
これに対し、飲酒している場合には、心拍ゆらぎがこのような現象とならず、高周波成分と低周波成分の増減が同期することを本願発明者は発見した。このような点に着目し、心拍のゆらぎの高周波成分と低周波成分の相対関係に基づいて被験者の飲酒状態を検出し、また心拍のゆらぎの高周波成分と低周波成分の増減傾向が同期している場合に被験者が飲酒していると判定することとした。これにより、少量の飲酒状態を検出することが可能となり、飲酒しているか否かを精度よく検出することができるのである。
【００５４】
図８、９は、本実施形態に係る飲酒状態検出装置の実施例を示す図である。
【００５５】
図８に示すように、心拍ゆらぎの低周波成分と高周波成分を飲酒前及び飲酒後において実際に計測を行った。飲酒していない状態において一回目の計測を行い、一定時間安静として二回目の計測を行った。そして、一定時間安静として三回目の計測を行った後、飲酒をし、一定時間安静として四回目の計測を行った。
【００５６】
図９に示すように、一回目の計測から二回目の計測においては、心拍ゆらぎ値の低周波成分が増加し高周波成分が減少しており、飲酒していない状態と判断できる結果となっている。二回目の計測から三回目の計測においては、心拍ゆらぎ値の低周波成分が減少し高周波成分が増加しており、飲酒していない状態と判断できる結果となっている。そして、三回目の計測から四回目の計測においては、心拍ゆらぎ値の低周波成分が増加し高周波成分も増加しており、低周波成分と高周波成分の増減が同期しているため、飲酒している状態と判断できる結果となっている。
【００５７】
このように、心拍ゆらぎ値の低周波成分と高周波成分の増減傾向が同期している場合に被験者が飲酒していると判定することにより、少量の飲酒状態を検出することができ、飲酒しているか否かを精度よく検出することができる。
（第二実施形態）
【００５８】
次に本発明の第二実施形態に係る飲酒状態検出装置について説明する。
【００５９】
図１０は本実施形態に係る飲酒状態検出装置の概略構成図である。
【００６０】
図１０に示すように、本実施形態に係る飲酒状態検出装置１ａは、被験者の飲酒後の体調状態を検出する装置であって、飲酒状態を検出機能とともに飲酒後の体調状態検出機能を備えている。
【００６１】
この飲酒状態検出装置１ａは、第一実施形態に係る飲酒状態検出装置１とほぼ同様な構成を有しており、体調判定部３５を備えている点で第一実施形態に係る飲酒状態検出装置１と異なっている。
【００６２】
体調判定部３５は、被験者の飲酒後の体調状態を心拍のゆらぎにおける高周波成分と低周波成分との相対関係に基づいて検出するものであり、例えば飲酒後において心拍ゆらぎにおける低周波成分の減少傾向が高周波成分より低い場合に体調不良であると判定するものである。
【００６３】
次に、本実施形態に係る飲酒状態検出装置の動作について説明する。
【００６４】
図１１は本実施形態に係る飲酒状態検出装置の動作を示すフローチャートである。この図１０の制御処理は、例えばＥＣＵ３によって実行される。
【００６５】
まず、図１１のＳ１０に示すように、心拍計測データの読み込みが行われる。そして、心拍計測データ前処理、心拍ゆらぎ導出処理、心拍ゆらぎ比算出処理が順次行われる（Ｓ１２、Ｓ１４、Ｓ１６）。このＳ１０〜Ｓ１６の心拍計測データの読み込み処理、心拍計測データ前処理、心拍ゆらぎ導出処理及び心拍ゆらぎ比算出処理は、図２に示す処理と同様に行われる。
【００６６】
そして、Ｓ１７に移行し、飲酒警告履歴があるか否かが判断される。この判断は、飲酒後であるか否かを判断するものであって、例えば飲酒警告されてから所定時間以内であるか否かに基づいて飲酒警告履歴があるか否かが判断される。
【００６７】
Ｓ１７にて飲酒警告履歴がないと判断された場合には、被験者が飲酒しているか否かが判断される（Ｓ１８）。この判断処理は、心拍のゆらぎにおける高周波成分と低周波成分との相対関係に基づいて被験者が飲酒しているか否かを判断する処理である。
【００６８】
Ｓ１８にて被験者が飲酒していないと判断された場合には、一連の制御処理が終了される。一方、Ｓ１８にて被験者が飲酒していると判断された場合には、警報処理が行われる（Ｓ２０）。警報処理は、被験者に対して飲酒している状態であることを警報する処理である。
【００６９】
ところで、Ｓ１７にて飲酒警告履歴があると判断された場合には、被験者が体調不良であるか否かが判断される（Ｓ２２）。この判断は、被験者の飲酒後の体調状態を心拍のゆらぎにおける高周波成分と低周波成分との相対関係に基づいて行われる。例えば、飲酒後において心拍ゆらぎにおける低周波成分の減少傾向が高周波成分より低い場合に体調不良であると判定され、飲酒後において心拍ゆらぎにおける低周波成分の減少傾向が高周波成分より低くない場合に体調不良でないと判定される。
【００７０】
具体的に説明すると、図１２に示すように、飲酒している状態における心拍ゆらいの低周波成分値をＨａｌ、飲酒している状態における心拍ゆらいの高周波成分値をＨａｈ、飲酒後における心拍ゆらいの低周波成分値をＨｂｌ、飲酒後における心拍ゆらいの高周波成分値をＨｂｈ、判定設定値をＴＨｌ、ＴＨｈとした場合に、次の式（３）、（４）が成立した場合には、体調不良であると判断される。
【００７１】
Ｈｂｈ＜Ｈａｈ−ＴＨｈ  …（３）
【００７２】
Ｈｂｌ≧Ｈａｌ−ＴＨｌ  …（４）
【００７３】
これに対し、次の式（５）、（６）が成立した場合には、体調回復したと判断される。
【００７４】
Ｈｂｈ＜Ｈａｈ−ＴＨｈ  …（５）
【００７５】
Ｈｂｌ＜Ｈａｌ−ＴＨｌ  …（６）
【００７６】
Ｓ２２にて被験者が体調不良であると判断された場合には、一連の制御処理が終了される。一方、Ｓ２２にて被験者が体調不良でなく、体調が回復したと判断された場合には、体調状態出力処理が行われる。
【００７７】
体調状態出力処理は、被験者に対して体調が回復したことを報知する処理である。例えば、警報部４により、被験者である車両の運転者に対し体調が回復したことが報知される。報知の手法は、被験者が体調回復したことを認識できればいずれの方法であってもよく、例えば音声、モニタ表示、車両のインターロック解除などが用いられる。このＳ２４の処理を終了したら、一連の制御処理を終了する。
【００７８】
以上のように、本実施形態に係る飲酒状態検出装置によれば、第一実施形態に係る飲酒状態検出装置と同様な作用効果に加え、心拍のゆらぎにおける高周波成分と低周波成分との相対関係に基づいて被験者の飲酒後の体調状態を判定することにより、被験者の飲酒後の体調状態を正確に判定することができる。
【００７９】
また、飲酒後において心拍ゆらぎの低周波成分の減少傾向が高周波成分より低い場合に体調不良であると判定することにより、被験者の飲酒後の体調状態を正確に判定することができる。さらに、体調状態を被験者に報知することにより、被験者の体調が回復したことを知らせることができる。
【００８０】
なお、上述した各実施形態は本発明に係る飲酒状態検出装置の実施形態を説明したものであり、本発明に係る飲酒状態検出装置は本実施形態に記載したものに限定されるものではない。本発明に係る飲酒状態検出装置は、各請求項に記載した要旨を変更しないように実施形態に係る飲酒状態検出装置を変形し、又は他のものに適用したものであってもよい。
【００８１】
例えば、実施形態においては、被験者が車両の運転者である場合について説明したが、被験者が車両の運転者以外の者であってもよい。
【図面の簡単な説明】
【００８２】
【図１】本発明の第一実施形態に係る飲酒状態検出装置の構成概要図である。
【図２】図１の飲酒状態検出装置の動作を示すフローチャートである。
【図３】図１の飲酒状態検出装置の心拍計測データ前処理を示すフローチャートである。
【図４】図１の飲酒状態検出装置の二値化処理の説明図である。
【図５】図１の飲酒状態検出装置の心拍周期波形の導出処理の説明図である。
【図６】図１の飲酒状態検出装置の心拍ゆらぎ導出処理を示すフローチャートである。
【図７】図１の飲酒状態検出装置の周波数帯域の設定処理の説明図である。
【図８】図１の飲酒状態検出装置の実施例を示す図である。
【図９】図１の飲酒状態検出装置の実施例を示す図である。
【図１０】本発明の第二実施形態に係る飲酒状態検出装置の構成概要図である。
【図１１】図１０の飲酒状態検出装置の動作を示すフローチャートである。
【図１２】図１０の飲酒状態検出装置の体調状態判定処理の説明図である。
【符号の説明】
【００８３】
１…飲酒状態検出装置、２…心拍検出部、３…ＥＣＵ、４…警報部、３１…心拍ゆらぎ検出部、３２…ゆらぎ比算出部、３３…飲酒判定部、３４…データベース。
【図１】
2009219541.tif 000003
【図２】
2009219541.tif 000004
【図３】
2009219541.tif 000005
【図４】
2009219541.tif 000006
【図５】
2009219541.tif 000007
【図６】
2009219541.tif 000008
【図７】
2009219541.tif 000009
【図８】
2009219541.tif 000010
【図９】
2009219541.tif 000011
【図１０】
2009219541.tif 000012
【図１１】
2009219541.tif 000013
【図１２】
2009219541.tif 000014